(57)【要約】      （修正有）【課題】スリムで、液漏れがなく、吸収性に優れた吸収性物品を提供する。【解決手段】液透過性のトップシート２と、不液透過性のバックシート７と、前記トップシートと前記バックシートの間に、前記トップシート側から順に、吸収体４と、上層吸水性シート５と、下層吸水性シート６とを備える吸収性物品であって、前記吸収体が、前記トップシート側から順に、上部親水性不織布４１と、吸水性樹脂と接着剤を含有する１次吸水層４２と、中間親水性不織布４３と、前記吸水性樹脂と前記接着剤を含有する２次吸水層４４と、下部親水性不織布４５とを有し、前記下層吸水性シート６がパルプ含有親水性シートであり、前記吸収体の面積に対して１１０％以上４００％以下の面積であるとともに、前記吸収性物品の厚さが４ｍｍ以下である吸収性物品。【選択図】図５
2015066358.tif 000002
【特許請求の範囲】
【請求項１】
液透過性のトップシートと、
不液透過性のバックシートと、
前記トップシートと前記バックシートの間に、前記トップシート側から順に、吸収体と、上層吸水性シートと、下層吸水性シートとを備える吸収性物品であって、
前記吸収体が、前記トップシート側から順に、上部親水性不織布と、吸水性樹脂と接着剤を含有する１次吸水層と、中間親水性不織布と、前記吸水性樹脂と前記接着剤を含有する２次吸水層と、下部親水性不織布とを有し、
前記下層吸水性シートがパルプ含有親水性シートであり、前記吸収体の面積に対して１１０％以上４００％以下の面積であるとともに、
前記吸収性物品の厚さが４ｍｍ以下であること、
を特徴とする吸収性物品。
【請求項２】
前記上層吸水性シートが木材繊維シートであることを特徴とする請求項１に記載の吸収性物品。
【請求項３】
前記トップシートと前記吸収体との間に液拡散性シートを備え、
前記液拡散性シートは、厚さが０．５ｍｍ以上、坪量が２５ｇ／ｍ２以上の親水性不織布であることを特徴とする請求項１または２に記載の吸収性物品。
【請求項４】
長手方向両側部に一対のサイド防漏部を備えることを特徴とする請求項１ないし３のいずれか１項に記載の吸収性物品。
【請求項５】
前記上層吸水性シートが消臭物質を含むものであることを特徴とする請求項１ないし４のいずれか１項に記載の吸収性物品。
【請求項６】
前記下層吸水性シートがポリプロピレン不織布と木材パルプを含むことを特徴とする請求項１ないし５のいずれか１項に記載の吸収性物品。
【発明の詳細な説明】
【技術分野】
【０００１】
本発明は、スリムで、液漏れがなく、吸収性に優れた吸収性物品に関する。さらに詳しくは、尿などの排泄物を吸収、保持する使い捨ての軽失禁製品、パンツ型紙おむつ、尿とりパッド、およびテープ止め紙おむつ等に関する。
【背景技術】
【０００２】
使い捨ての尿吸収パッド、パンティライナー、生理用ナプキン、紙オムツ等の吸収性物品には、液透過性のトップシートと、不液透過性のバックシートと、トップシートとバックシートの間に設けた吸収層とを有する構造が一般的であり、その際、吸収層は、高吸収性樹脂（ＳＡＰ：Ｓｕｐｅｒａｂｓｏｒｂｅｎｔ  Ｐｏｌｙｍｅｒ）とフラッフパルプ(以下、「パルプ」という)の混合物等が使用されている。使用者は、下着への吸収性物品の装着、あるいは、パンツ型の吸収性物品の着用により、血液、尿等の液体を吸収性物品に吸収させている。
【０００３】
吸収性物品は、例えば、長時間の着用により、大量の体液を吸収する場面が多く存在しており、体液の横漏れ防止、また動きによるずれの防止や、着用する際のフィット感の向上を図るため、各構成に対する組成、構造等の開発が行われている。
【０００４】
特許文献１には、液透過性シートからなるトップシートと液不透過性シートからなるバックシートの間に、吸収体が具備され、股間部領域と長手方向両端部領域において左右一対のサイドフラップを有し、該サイドフラップに吸水シートを敷設し、吸収性物品の長手方向両側縁部に一対の立体ギャザーを配設した吸収性物品が開示されている。
【０００５】
また、特許文献２には、液透過性シートからなるトップシートと液不透過性シートからなるバックシートの間に、トップシート側から順に吸水シートと吸水性繊維層とを備えた吸収体を具備する吸収性物品であって、吸水シートは、トップシート側から順に、上部親水性不織布と、吸水性樹脂Ａと接着剤を含有する１次吸水層と、中間親水性不織布と、吸水性樹脂と接着剤を含有する２次吸水層と、下部親水性不織布とからなる超薄型吸収性物品が開示されている。
【先行技術文献】
【特許文献】
【０００６】
【特許文献１】特開２０１３-１１６２１２号公報
【特許文献２】特開２０１３-０９４２９６号公報
【発明の概要】
【発明が解決しようとする課題】
【０００７】
しかしながら、特許文献１に開示されている吸収性物品は大量に排尿した後でも、吸収体の周辺部からの染み出しや漏れを効果的に防止することができるが、吸収速度が充分とはいえない。また、特許文献２に開示されている吸収性物品は超薄型で、やわらかくて動きやすいが、吸収量が不充分である。
【０００８】
本発明は、上記課題に鑑みてなされたものであって、スリムで、液漏れがなく、吸収性に優れた吸収性物品を提供することを目的とする。
【課題を解決するための手段】
【０００９】
このような目的を達成するため、本発明は、以下の構成によって把握される。
（１）本発明の吸収性物品は、液透過性のトップシートと、不液透過性のバックシートと、前記トップシートと前記バックシートの間に、前記トップシート側から順に、吸収体と、上層吸水性シートと、下層吸水性シートとを備える吸収性物品であって、前記吸収体が、前記トップシート側から順に、上部親水性不織布と、吸水性樹脂と接着剤を含有する１次吸水層と、中間親水性不織布と、前記吸水性樹脂と前記接着剤を含有する２次吸水層と、下部親水性不織布とを有し、前記下層吸水性シートがパルプ含有親水性シートであり、前記吸収体の面積に対して１１０％以上４００％以下の面積であるとともに、前記吸収性物品の厚さが４ｍｍ以下であること、を特徴とする吸収性物品。
【００１０】
（２）本発明の吸収性物品は、上記（１）の構成において、上層吸水性シートが木材繊維シートであることを特徴とする。
【００１１】
（３）本発明の吸収性物品は、上記（１）または（２）の構成において、トップシートと吸収体との間に液拡散性シートを備え、液拡散性シートは、厚さが０．５ｍｍ以上、坪量が２５ｇ／ｍ２以上の親水性不織布であることを特徴とする。
【００１２】
（４）本発明の吸収性物品は、上記（１）または（３）のいずれかの構成において、長手方向両側部に一対のサイド防漏部を備えることを特徴とする。
【００１３】
（５）本発明の吸収性物品は、上記（１）ないし（４）のいずれかの構成において、上層吸水性シートが消臭物質を含むものであることを特徴とする。
【００１４】
（６）本発明の吸収性物品は、上記（１）ないし（５）のいずれかの構成において、下層吸水性シートがポリプロピレン不織布と木材パルプを含むことを特徴とする。
【発明の効果】
【００１５】
本発明によれば、スリムで、液漏れがなく、吸収性に優れた吸収性物品を提供することができる。
【図面の簡単な説明】
【００１６】
【図１】本発明に係る個包装袋入り吸収性物品の平面図である。
【図２】本発明に係る図１の吸収性物品のＡ−Ａ線断面図である。
【図３Ａ】本発明に係る展開した吸収性物品（Ａ）の平面図（二点鎖線は個包装袋およびテープの外形線）である。
【図３Ｂ】本発明に係る展開した吸収性物品（Ｂ）の平面図（二点鎖線は個包装袋およびテープの外形線）である。
【図４】本発明に係る展開した吸収性物品（Ａ）及び（Ｂ）の背面図（二点鎖線は個包装袋およびテープの外形線）である。
【図５】図２の吸収性物品のＢ−Ｂ線断面図（二点鎖線は個包装袋）である。
【発明を実施するための形態】
【００１７】
（実施形態）
上記課題を解決するため、以下、添付図面を参照して、本発明の実施の形態（以下、実施形態という）について詳細に説明する。なお、実施形態の説明は全体を通して同じ要素には同じ符号を付している。
【００１８】
本明細書において、吸収性物品等の「長手方向」とは、吸収性物品が着用された際に、使用者の前後に渡る方向を示し、吸収性物品等の「幅方向」とは、「長手方向」に対して、横又は直交する方向を示す。
【００１９】
本発明にかかる吸収性物品の第１の実施形態について、図１ないし図５にて説明する。図１は、本発明に係る吸収性物品の個包装袋入りの平面図である。図２は、本発明に係る図１の吸収性物品のＡ−Ａ線断面図である。図３Ａは、本発明に係る展開した吸収性物品（Ａ）の平面図（二点鎖線は個包装袋およびテープの外形線）、図３Ｂは、本発明に係る展開した吸収性物品（Ｂ）の平面図（二点鎖線は個包装袋およびテープの外形線）である。図４は、本発明に係る展開した吸収性物品（Ａ）及び（Ｂ）の背面図（二点鎖線は個包装袋およびテープの外形線）である。図５は、図２の吸収性物品のＢ−Ｂ線断面図（二点鎖線は個包装袋）である。
【００２０】
吸収性物品１は、液透過性のトップシート２と、液拡散性シート３と、吸収体４と、上層吸水性シート５と、下層吸水性シート６と、不液透過性のバックシート７と、弾性部材１０を有する立体ギャザーシート１１とから構成される。
【００２１】
吸収性物品１は、肌と接触する側から順に、液透過性のトップシート２と、液拡散性シート３と、吸収体４と、上層吸水性シート５と、下層吸水性シート６と、不液透過性のバックシート７とを備える。液透過性のトップシート２の横に撥水性の立体ギャザーシート１１が配設される。そして、各構成部材は、それぞれの隣接する部分において接着剤等で相互に接合されている。
【００２２】
本実施形態のトップシート２の基材は、血液、体液等の液体が吸収層へと移動するような液透過性を備えていればよく、例えば、エアースルー不織布を代表とするサーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。なかでも、尿等の逆戻り防止の観点から、エアースルー不織布や漏斗状断面を有する開口性フィルムが好ましい。また、液透過性を向上させるために、トップシート２に図３Ａ及びＢに示すようなエンボス２１加工や穿孔加工を施すことが好ましい。その加工方法は、公知の方法を制限なく行うことができる。エンボスパターンは、直線、曲線、ドット状など特に限定せず、またパターン形状も格子状、波状、花状、エイコンパターン(どんぐりの連続形状)など、液体の拡散を効率よくするためのものが適宜選択される。また、肌への刺激を低減させるために、トップシート２に、ローション、酸化防止剤、抗炎症成分、ｐＨ調整剤、抗菌剤、保湿剤等を含有させることも好ましい。さらに、強度および加工性の点から、トップシート２の坪量は、１５ｇ／ｍ２以上４５ｇ／ｍ２以下が好ましく、さらに好ましくは、２０ｇ／ｍ２以上３０ｇ／ｍ２以下である。
【００２３】
サイド防漏部は、着用時の横漏れを防止するために、長手方向両側縁部に設けることができる。サイド防漏部は撥水性の不織布を用い、吸収体４の長手方向側縁部に接着剤等によって接着することにより吸収体４の横方向からのしみ出しを防止するように形成される。サイド防漏部は吸収性物品１の上方に立体的に立ち上がる、所謂立体ギャザーシート１１とすることも可能である。長手方向に沿って糸ゴム等の立体ギャザー１１用の弾性部材１０を備えることで、起立性を有し、使用者の体型に合わせて伸縮自在に変形可能となる。撥水性の立体ギャザーシート１１の坪量は１０ｇ／ｍ２以上４０ｇ／ｍ２以下が好ましく、さらに好ましくは１５ｇ／ｍ２以上２５ｇ／ｍ２以下である。
【００２４】
１次吸水層４２の上面への尿等の液体の拡散を促進するために、トップシート２と吸収体４の間に、液拡散性シート３を設けることができる。液体は、まずトップシート２を通って、吸収体４、上層吸水性シート５、下層吸水性シート６へ順次拡散、吸収するが、できるだけ吸収後すばやく前後左右に拡散していくのが好ましい。そのために、トップシート２の下に液拡散性シート３を設けて拡散を促し、液体を広く吸収体４に移動させることができ、効率よく吸収させることができる。
【００２５】
液拡散性シート３としては、例えば、エアースルー不織布、ポイントボンド不織布、スパンボンド不織布やメルトブロー不織布、あるいは、スパンボンド／メルトブロー、スパンボンド／メルトブローン／スパンボンドを積層した複合不織布があげられる。本発明においては、特に液戻りの防止に優れるエアースルー不織布が好適である。液拡散性シート３の厚さは、０．１ｍｍ以上が好ましく、さらに好ましくは０．５ｍｍ以上である。坪量は、１５ｇ／ｍ２以上８０ｇ／ｍ２以下が好ましく、さらに好ましくは２５ｇ／ｍ２以上４０ｇ／ｍ２以下である。厚さが０．１ｍｍ未満、あるいは、坪量が１５ｇ／ｍ２未満であると、上部親水性不織布４１の上面全体への液体の拡散が十分に行われないので好ましくない。また、液拡散性シート３の形状は、特に制限はないが、体液がくまなく上部親水性不織布４１に拡散するように、上部親水性不織布４１の表面を完全に覆うことができる形状であることが好ましい。
【００２６】
吸収体４は、上部親水性不織布４１、１次吸水層４２、中間親水性不織布４３、２次吸水層４４、及び下部親水性不織布４５から構成される。
【００２７】
１次吸水層４２及び２次吸水層４４は、吸水性樹脂と接着剤を含み、この接着剤によって、上部親水性不織布４１、１次吸水層４２、中間親水性不織布４３、２次吸水層４４、及び下部親水性不織布４５は、相互に接着される。
【００２８】
本発明に使用される吸水性樹脂の中位粒子径は、１次吸水層４２、２次吸水層４４であるかにかかわらず、１００μｍ以上６００μｍ以下が好ましく、２００μｍ以上５００μｍ以下がより好ましい。粉体としての流動性が悪い微粉末の仕様を避け、吸収体４の基本性能を高める観点から、吸水性樹脂の中位粒子径は１００μｍ以上が好ましく、吸収体４が堅くなるのを防ぎ、またゴツゴツする感触を低減して、触感を改善する観点から、吸水性樹脂の中位粒子径は６００μｍ以下であることが好ましい。
【００２９】
吸収体４に含有する吸水性樹脂の全含有量は、要求される吸収性能によって３００ｇ／ｍ２以上６５０ｇ／ｍ２以下の範囲が好ましく、より好ましくは４００ｇ／ｍ２以上５００ｇ／ｍ２以下である。吸収体４として十分な吸収性能を発揮させ、吸収後のさらさら感を保つ観点から、当該全含有量は３００ｇ／ｍ２以上であることが好ましい、超薄型で、やわらかくて動きやすさを保つ観点から、当該全含有量は６５０ｇ／ｍ２以下であることが好ましい。
【００３０】
吸収性樹脂としては、公知のものが使用でき、ポリアクリル酸系、でんぷん系、セルロース系などがあげることができる。
【００３１】
接着剤としては、融点が１００℃以上１８０℃以下程度で、スチレンーブタジエン−スチレン系共重合体、スチレンーイソプレン−スチレン系共重合体などの合成ゴム系、あるいはエチレン−酢酸ビニル共重合体などのオレフィン系のホットメルト接着剤が使用される。ホットメルト接着剤の塗布方法には、ノズルから溶融状態の接着剤を非接触で塗布するカーテンコート法やスパイラル法があり、また接触式ではスロット法など、公知の方法が利用できる。
【００３２】
さらに、液透過性のトップシート２と、液拡散性シート３と、吸収体４に熱エンボス２１を施すことによって、吸収体４全体への液体の拡散を効率よくすることができ、さらに吸水性樹脂の固定が強化できる。
【００３３】
また、吸収量の多いものを得るためには、上記構成の吸収体４を複数枚重ねて多段吸収体とすることも可能である。
【００３４】
吸収体４を構成する上部親水性不織布４１、中間親水性不織布４３、及び下部親水性不織布４５は、２０ｇ／ｍ２以上のもので、少なくとも１枚はスパンレース不織布であることが好ましい。さらに、それが下部親水性不織布４５であればなお好ましい。スパンレース不織布は、親水性が高く、それ自身が保水して一時的に液体を保持することができるからである。スパンレース不織布はレーヨンやコットンのセルロース系、及び合成繊維系などが使用できる。その坪量は適宜選択できるが２０ｇ／ｍ２以上のものが好ましい。スパンレース不織布以外としては、ポリプロピレン、ポリエチレン、ポリエステルなどの合成繊維系からなるエアースルー不織布、ポイントボンド不織布、スパンボンド不織布が使用できる。本発明においては、特に液戻りの防止に優れるエアースルー不織布が好適である。
【００３５】
吸収体の形状としては、一般に生理用ナプキンやおむつ、尿パッド等の吸収性物品に使用されるものであれば特に制限はなく、例えば、矩形状、砂時計状、Ｉ字状等をあげることができる。
【００３６】
上層吸水性シート５は、木材繊維シートが好適である。前記上層吸水性シート５は、坪量が、１０ｇ／ｍ２以上４０ｇ／ｍ２以下が好ましく、さらに好ましくは１５ｇ／ｍ２以上２５ｇ／ｍ２以下である。
【００３７】
上記の構成のほかに、消臭機能を持った消臭物質を上層吸水性シート５に添加してもよい。消臭物質を木材繊維シート中に塗布、担持したシートを上記構成の中に適宜積層することができる。消臭物質としては、活性炭、多孔性ポリマー、シリカゲル、ゼオライト、銀化合物等を使用することができる。また、上層吸水性シート５は、消臭機能のみではなく抗菌機能をもたせるようなシートを使用することもできる。
【００３８】
下層吸水性シート６は、吸収体４と上層吸水性シート５の下にあり、吸収体４および上層吸水性シート５で吸収し切れなかった液を最終的に吸収し、上部への液戻りしないようにするためである。下層吸水性シート６は、吸収性物品の外形と略相似形であり、吸収体４の長手方向および幅方向中心に配し、かつ吸収体の外形より長手方向と幅方向において大きい形状が好ましい。
【００３９】
下層吸水性シート６は、ハイドロニット（キンバリークラーク社製、商品名）、エアレイド不織布等からなり、３０ｇ／ｍ２以上の坪量を有することが好ましい。坪量が３０ｇ／ｍ２未満であると、吸水能力に劣るため好ましくない。下層吸水性シートの坪量は、３０ｇ／ｍ２以上１５０ｇ／ｍ２以下が好ましい。
【００４０】
ハイドロニットは、米国特許第５２８４７０３号明細書に開示されているように、ポリプロピレン不織布に木材パルプを、バインダー（接着剤）を使わずに、高水圧（ウォータージェット）で強固に絡めてシート化したもので、強度、吸収性に優れた素材である。
【００４１】
エアレイド不織布は、空気中にパルプ、熱融着繊維等の比較的短い繊維が空気流を利用してランダムに分散させて嵩高シート状に成形し、バインダーにより結合したものである。
【００４２】
吸収体４は、吸収性物品１の外形より長手方向と幅方向において小さい形状である。上層吸水性シート５、下層吸水性シート６とも外形と略相似形が好ましいが、略矩形であってもよい。上層吸水性シート５、下層吸水性シート６の面積が吸収体４より大きく長手方向および幅方向中心に配することが好ましい。
【００４３】
バックシート７に用いる液不透過性シートとしては、ポリエチレンフィルムやポリエチレンフィルムと不織布を張り合わせたものが使用でき、その坪量は特に限定しない。バックシート７は、坪量は、１５ｇ／ｍ２以上６０ｇ／ｍ２以下が好ましく、さらに好ましくは３０ｇ／ｍ２以上４０ｇ／ｍ２以下である。
【００４４】
トップシート２及びバックシート７は、全周にわたってホットメルト接着剤を用いて固定される。ホットメルト接着剤の塗布方法は特に限定されないが、ノズルから溶融状態の接着剤を非接触で塗布するカーテンコート法やスパイラル法があり、また接触式では、スロット法など公知の方法が適用できる。
【００４５】
バックシート７の下には下着に接着できるよう、ＳＢＳタイプのホットメルト８を配し、その下にシリコン紙であるシリコン剥離紙９をズレ止めホットメルト８の長さに合わせ、幅方向中央に配する。シリコン剥離紙９の坪量は２０ｇ／ｍ２以上７０ｇ／ｍ２以下が好ましく、さらに好ましくは４０ｇ／ｍ２以上５０ｇ／ｍ２以下である。
【００４６】
図１に示すように、シリコン剥離紙９の下に個包装シート１２を配し、股部を中心に、その前後を折り返し、三つ折りにし、個包装シート１２が開かないように、タブテープ１３を幅方向中心に配し、個包装シート１２の両端をヒートシールで接着する、タブテープ１３の坪量は、６０ｇ／ｍ２以上１００ｇ／ｍ２以下が好ましく、さらに好ましくは８０ｇ／ｍ２以上９０ｇ／ｍ２以下である。個包装シート１２の坪量は、１０ｇ／ｍ２以上６０ｇ／ｍ２以下が好ましく、さらに好ましくは１５ｇ／ｍ２以上２５ｇ／ｍ２以下である。
【００４７】
以上の構成により、吸収性物品としての厚さが５ｍｍ以下(測定方法は後述する)で、３回繰り返し吸収速度の合計が１２０秒以下で、さらに液戻りの少ない性能を実現できるものである。なお、吸収性物品１としての厚さは、４ｍｍ以下がより好ましく、３ｍｍ以下がさらに好ましい。吸収速度の合計は、１００秒以下がより好ましく、８０秒以下がさらに好ましい。
【実施例】
【００４８】
実施例１〜３は、トップシート２として坪量２０ｇ／ｍ２のエアースルー不織布、液拡散性シート３として坪量３０ｇ／ｍ２のエアースルー不織布、バックシート７として坪量３２ｇ／ｍ２の通気性ポリエチレンフィルムを共通部材として用い、製品の大きさ、吸収体４の構成、及び下層吸水性シート６の構成が異なったものである。
【００４９】
（実施例１）
本実施例において、吸収性物品１は液透過性のトップシート２と、不液透過性のバックシート７と、前記トップシート２と前記バックシート７の間に、前記トップシート２側から順に、吸収体４と、上層吸水性シート５と、下層吸水性シート６とを備える吸収性物品である。吸収性物品１は、製品長Ｌが２３０ｍｍ、幅（Ｗ１／Ｗ２／Ｗ３）が９５／８５／９５ｍｍである。吸収体４は、長さが１３５ｍｍ、幅が６０ｍｍである。吸水速度を測定するとき、生理食塩水の投下量は５ｍｌである。逆流量を測定するときの生理食塩水の投下量は６０ｍｌである。
【００５０】
（実施例２）
本実施例において、実施例１と同じ構成であるが、吸収体４の長さが１８０ｍｍである。吸水速度を測定するときの生理塩水の投下量は１０ｍｌである、逆流量を測定するときの生理食塩水の投下量は１１０ｍｌである。
【００５１】
（実施例３）
本実施例において、前記吸収性物品１は液透過性のトップシート２と、不液透過性のバックシート７と、前記トップシート２と前記バックシート７の間に、前記トップシート２側から順に、吸収体４と、上層吸水性シート５と、下層吸水性シート６とを備える吸収性物品１である。吸収性物品１は、製品長Ｌが２７０ｍｍ、幅（Ｗ１／Ｗ２／Ｗ３）が１１０／１００／１２０ｍｍである。吸収体４は、長さが２３０ｍｍ、幅が７５ｍｍである。吸水速度を測定するとき、生理食塩水の投下量は２０ｍｌである。逆流量を測定するときの生理食塩水の投下量は１６０ｍｌである。
【００５２】
実施例１〜３は比較例１〜３と下層吸水性シートの有無が異なったものである。
【００５３】
（比較例１）
本比較例では、吸収性物品１として下層吸水性シートを有しない点が実施例１と異なるところで、それ以外は実施例１と同じ構成であり、測定条件も同じである。
【００５４】
（比較例２）
本比較例では、吸収性物品１として下層吸水性シート６を有しない点が実施例２と異なるところで、それ以外は実施例２と同じ構成であり、測定条件も同じである。
【００５５】
（比較例３）
本比較例では、吸収性物品として下層吸水性シート６を有しない点が実施例３と異なるところで、それ以外は実施例３と同じ構成であり、測定条件も同じである。
【００５６】
実施例１〜３、比較例１〜３で作製した吸収性物品について、下記のような試験法により、ぞれぞれの物性を測定し、比較した。
【００５７】
（測定方法）
（吸収層の厚さ）
吸収層の厚さは、ハイトゲージ（株式会社ミツトヨ製）を用いて行った。３５ｇｆ／ｃｍ２の荷重条件下で、厚みを測定する。３５ｇｆ／ｃｍ２の荷重条件下では、円形の錘（５０ｍｍφ）を吸収層の中央部に載せ、ハイトゲージで錘の上面までの厚みを測定した後、錘の厚みを差引いて求めた。
【００５８】
（吸収速度３回法）
底面積１６．８ｃｍ２の円柱の中央に内径１９ｍｍの穴が開いており、重さを７５５．６ｇとした測定冶具を、吸収性物品１の長手方向、かつ幅方向の中央部の上に置き、上部の穴から生理食塩水それぞれ５、１０、２０ｍｌを投下し、生理食塩水が吸収性物品１に接触した時点から治具中央円内の円周に液体が完全に吸い込まれるところを終点として時間を計測する（１回目）。そして３分経過後に同様の時間を計測する（２回目）、同様に３回目を計測する。
【００５９】
（逆流量）
吸収性物品１の長手方向、かつ幅方向中央部に生理食塩水それぞれ６０ｍｌ、１１０ｍｌ、１６０ｍｌを注入し、１分経過後に、あらかじめ重量を測定した濾紙（ＡＤＶＡＮＴＥＣ社製Ｎｏ．２濾紙、直径５５ｍｍ）を注入場所中心におき、その上に６８７ｇの錘をのせる（３５ｇ／ｃｍ２）。錘を乗せてから１分経過後、濾紙の重量を測り、濾紙の重量差を逆流量とする。
【００６０】
（総吸収量）
あらかじめ重量を測定した吸収性物品１を、生理食塩水に完全に浸かるように５分間浸漬させる。５分後、吸収性物品のトップシートを下にして金網の上において３０秒水切りをして、吸収後の重量を測定し、吸収前後の重量差を総吸収量とする。総吸収量も、吸収性能の一つで、もれやドライ感に影響を及ぼすが、求められる性能によって適宜設定することができる。
【００６１】
表１は実施例１〜３、比較例１〜３で作製した吸収性物品１に関する測定結果を示したものである。
【００６２】
【表１】
2015066358.tif 000003
【００６３】
表１に示した結果から、以下のことが明らかとなった。
（イ）実施例１〜３の３回吸水速度と比較例１〜３の３回吸水速度の差がそれぞれ１０．７秒、１９秒、２０．４秒である。これにより、下層吸水性シート６を有する吸収性物品は下層吸水性シート６を有しない吸収性物品より吸水速度は速くなることが明らかである。
（ロ）実施例１〜３の総吸収量と比較例１〜３の総吸収量を比べる、それぞれ１２．０％、８．８％、８．５％が増加しました。これにより、下層吸水性シート６を有する吸収性物品は下層吸水性シート６を有しない吸収性物品より、総吸収量は多くなることが明らかである。
（ハ）実施例１〜３の逆流量と比較例１〜３の逆流量を比べ、それぞれ４１．４％、２４％、４８．８％が減少した。これにより、下層吸水性シート６を有する吸収性物品は下層吸水性シート６を有しない吸収性物品より、逆流量が少なくなったことが明らかである。
【００６４】
以上、実施形態を用いて本発明を説明したが、本発明の技術的範囲は上記実施形態に記載の範囲には限定されないことは言うまでもない。上記実施形態に、多様な変更または改良を加えることが可能であることが、当業者には明らかである。また、その様な変更または改良を加えた形態も本発明の技術的範囲に含まれ得ることが、特許請求の範囲の記載から明らかである。
【符号の説明】
【００６５】
１                吸収性物品
２                トップシート
２１              エンボス
３                液拡散性シート  
４                吸収体
４１              上部親水性不織布
４２              １次吸水層
４３              中間親水性不織布
４４              ２次吸水層
４５              下部親水性不織布
５                上層吸水性シート
６                下層吸水性シート
７                バックシート
８                ホットメルト
９                シリコン剥離紙
１０              弾性部材
１１              立体ギャザーシート
１２              個包装シート
１３              タブテープ
Ｌ                製品長
Ｗ１              製品の幅（前部）
Ｗ２              製品の幅（股部）
Ｗ３              製品の幅（後部）
【図１】
2015066358.tif 000004
【図２】
2015066358.tif 000005
【図３Ａ】
2015066358.tif 000006
【図３Ｂ】
2015066358.tif 000007
【図４】
2015066358.tif 000008
【図５】
2015066358.tif 000009